(57)【特許請求の範囲】
【請求項１】
原稿の画像情報を読み取る読み取り手段、読み取り手段によって読み取られた画像情報をジョブ単位で記憶する記憶手段および記憶手段に記憶された画像情報を読み出して記録紙に複写する複写手段を備えたデジタル複写機において、
検索用文字列をユーザによって入力させるための検索用文字列入力手段、
通常動作モードと再出力動作モードとをユーザによって切り替えさせるための動作モード切り替え手段、
動作モード切り替え手段によって、動作モードが再出力動作モードに切り替えられている状態において、検索用文字列入力手段によって検索用文字列が入力されたときには、記憶手段に画像情報が記憶されている各ジョブのうち、検索用文字列と一致する文字列を画像情報内に含んでいるジョブを検索する検索手段、および
検索用文字列と一致する文字列を画像情報内に含んでいるジョブを特定した後に、スタートキーが操作されたときに、上記特定したジョブに対する画像情報を記憶手段から読み出して記録紙に複写する再複写手段を備えており、
検索手段は、記憶手段に画像情報が記憶されている各ジョブの１頁目の画像情報と、検索用文字列とを比較することにより、検索用文字列と一致する文字列を画像情報内に含んでいるジョブを検索することを特徴とするデジタル複写機。
【発明の詳細な説明】
【技術分野】
【０００１】
この発明は、デジタル複写機に関するものである。
【背景技術】
【０００２】
デジタル複写機では、読み取り装置によって読み取られた原稿画像が、ジョブ単位でメモリに記憶された後、読み出されて記録紙に複写される。しかながら、一旦、ジョブが実行されてしまうと、メモリに記憶された画像情報を再度読み出して記録紙に複写することはできなかった。このため、過去に実行したジョブに用いられた原稿と同じ原稿を再度複写したいときには、再度、そのジョブに用いた全ての原稿を読み取らせる必要があった。
【発明の開示】
【発明が解決しようとする課題】
【０００３】
この発明は、過去のジョブ時に読み取られた画像情報であって、記憶手段に記憶されている画像情報を再度読み出して記録紙に複写することができ、しかも記憶手段に記憶されている複数のジョブに対する画像情報のうち、再度実行したいジョブに対する画像情報をユーザが特定しやすくなるデジタル複写機を提供することを目的とする。
【課題を解決するための手段】
【０００４】
この発明によるデジタル複写機は、原稿の画像情報を読み取る読み取り手段、読み取り手段によって読み取られた画像情報をジョブ単位で記憶する記憶手段および記憶手段に記憶された画像情報を読み出して記録紙に複写する複写手段を備えたデジタル複写機において、検索用文字列をユーザによって入力させるための検索用文字列入力手段、通常動作モードと再出力動作モードとをユーザによって切り替えさせるための動作モード切り替え手段、動作モード切り替え手段によって、動作モードが再出力動作モードに切り替えられている状態において、検索用文字列入力手段によって検索用文字列が入力されたときには、記憶手段に画像情報が記憶されている各ジョブのうち、検索用文字列と一致する文字列を画像情報内に含んでいるジョブを検索する検索手段、および検索用文字列と一致する文字列を画像情報内に含んでいるジョブを特定した後に、スタートキーが操作されたときに、上記特定したジョブに対する画像情報を記憶手段から読み出して記録紙に複写する再複写手段を備えており、検索手段は、記憶手段に画像情報が記憶されている各ジョブの１頁目の画像情報と、検索用文字列とを比較することにより、検索用文字列と一致する文字列を画像情報内に含んでいるジョブを検索することを特徴とする。
【発明の効果】
【０００５】
この発明によれば、過去のジョブ時に読み取られた画像情報であって、記憶手段に記憶されている画像情報を再度読み出して記録紙に複写することができ、しかも記憶手段に記憶されている複数のジョブに対する画像情報のうち、再度実行したいジョブに対する画像情報をユーザが特定しやすくなるデジタル複写機が得られる。
【発明を実施するための最良の形態】
【０００６】
以下、図面を参照して、この発明の実施例について説明する。
【実施例】
【０００７】
図１は、デジタル複写機の構成を示している。
【０００８】
デジタル複写機本体の上面には、複写すべき原稿（複写原稿）が載置されるコンタクトガラス１が設けられている。また、複写機本体の上面には、操作表示部４２が設けられている。コンタクトガラス１上には、自動原稿搬送装置（ＡＤＦ）４１が配置されている。複写機本体の一側面側には、給紙カセット２が設けられている。複写機本体内には、露光機構、プリント機構および記録紙搬送機構が設けられている。
【０００９】
露光機構は、コンタクトガラス１上に載置された原稿（図示略）の画像を露光走査するための露光ランプ２１および原稿からの反射光を反射する第１ミラー２２を備えた第１光学系走行体３１、第１ミラー２２によって反射された光をレンズ２５に導くための第２および第３ミラー２３、２４を備えた第２光学系走行体３２、集光レンズ２５によって得られた光情報を電気信号に変換するためのＣＣＤ等の固体撮像素子２６、固体撮像素子２６によって得られた画像情報等が入力される制御ユニット２７ならびに制御ユニット２７からの画像データを光信号（レーザ光）に変換するレーザユニット２８を備えている。レーザユニット２８から出力されるレーザ光は、感光体ドラム１１に照射される。
【００１０】
第１光学系走行体３１および第２光学系走行体３２は、図示しないスキャンモータによって、左右方向に往復動される。第２光学系走行体３２は、第１光学系走行体３１の速度の１／２の速度で、第１光学系走行体３１の移動距離の１／２の距離を移動する。
【００１１】
プリント機構は、感光体ドラム１１を備えている。感光体ドラム１１は、図示しないメインモータによって矢印の方向に回転駆動される。感光体ドラム１１の周囲には、その回転方向の順に、感光体ドラム１１の表面の感光層を帯電させる帯電器１２、感光層上に形成された静電潜像をトナー顕像として顕像化する現像装置１３、感光層上に形成されたトナー顕像を記録紙に転写する転写用放電器１４、感光体ドラム１１から記録紙を分離するための分離用放電器１５、転写後の感光体ドラム１１上に残留しているトナーを除去するクリーニング装置１６および感光体ドラム１１表面の電荷を除去する除電器１７が配されている。
【００１２】
記録紙搬送機構は、給紙カセット２内の記録紙を給紙する給紙ローラ３６、給紙ローラ３６によって送られてきた記録紙を所定のタイミングで感光体ドラム１１に搬送するためのレジストローラ３７および感光体ドラム１１上に形成されたトナー顕像が転写されかつ感光体ドラム１１から剥離された記録紙を定着ローラ３９まで搬送する搬送ベルト３８を備えている。定着ローラ３９によって定着処理が施された転写紙は、図示しない排出機構を介して排出トレイ４３上に送られる。
【００１３】
制御ユニット２７は、図２に示すように、ＣＰＵ１０１および信号処理回路１０２を備えている。ＣＰＵ１０１は、そのプログラム等を記憶するＲＯＭ１０３および必要なデータを記憶するＲＡＭ１０４を備えている。
【００１４】
信号処理回路１０２は、固体撮像素子２６によって得られた画像情報に所定の処理を施す。信号処理回路１０２によって得られた画像データは、一旦、ＲＡＭ１０４に格納された後、読み出されてレーザユニット２８に送られる。ＲＡＭ１０４には、ジョブ単位で画像データが格納される。つまり、ジョブ番号（ジョブ識別情報）毎に、画像データが格納される。
【００１５】
以下、ＲＡＭ１０４に記憶されている画像データを再出力できるようにした複数の実施例について説明する。
〔１〕第１実施例の説明
操作表示部４２には、動作モードを通常動作モードまたは再出力モードに切り替えるためのモード切り替えキーが設けられている。
【００１６】
図３は、モード切り替えキーによって、動作モードが再出力モードに切り替えられている場合の動作を示している。
【００１７】
動作モードが再出力モードに切り替えられている場合には、各種設定キー（複写枚数、複写倍率、濃度等の設定キー）が操作されたか（ステップ１）、スタートキーが操作されたか（ステップ２）が繰り返し判別される。
【００１８】
各種設定キーが操作された場合には、設定内容が記憶せしめられる（ステップ３）。スタートキーが操作された場合には、ＲＡＭ１０４に過去最新に記憶された１ジョブ分の画像データが読み出され、現在設定されている設定内容に基づいて、複写処理が実行せしめられる（ステップ４）。
【００１９】
なお、動作モードが再出力モードである場合に、モード切り替えキーが操作された場合には、動作モードが通常動作モードに変更せしめられる。
〔２〕第２実施例の説明
第２実施例では、ＲＡＭ１０４に、ジョブ単位で画像データが格納されるとともに、ジョブ毎に、そのショブに関する付加情報が記憶される。付加情報には、原稿枚数、設定された複写枚数、設定された複写倍率、設定された濃度、ジョブ実行時刻等がある。
【００２０】
操作表示部４２には、動作モードを通常動作モードまたは再出力モードに切り替えるためのモード切り替えキーが設けられている。
【００２１】
図４は、モード切り替えキーによって、動作モードが再出力モードに切り替えられた場合の動作を示している。
【００２２】
動作モードが再出力モードに切り替えられた場合には、ＲＡＭ１０４に記憶されているジョブ単位の画像データのうち、いずれのジョブに対する画像データを再出力させるかを選択させるための選択画面が表示せしめられる（ステップ１１）。
【００２３】
この選択画面には、ＲＡＭ１０４に記憶されている画像データのジョブ番号毎に、付加情報が表示される。ユーザは、この付加情報に基づいて、再出力したい画像データに対応するジョブ番号を入力する。
【００２４】
選択画面に基づいて、ユーザがジョブ番号を入力すると（ステップ１２）、各種設定キー（複写枚数、複写倍率、濃度等の設定キー）が操作されたか（ステップ１３）、スタートキーが操作されたか（ステップ１４）が繰り返し判別される。
【００２５】
各種設定キーが操作された場合には、設定内容を記憶する（ステップ１５）。スタートキーが操作された場合には、ＲＡＭ１０４から上記ステップ１２で入力されたジョブ番号に対応する画像データが読み出され、現在設定されている設定内容に基づいて、複写処理が実行せしめられる（ステップ１６）。
【００２６】
なお、動作モードが再出力モードである場合に、モード切り替えキーが操作された場合には、動作モードが通常動作モードに変更せしめられる。
〔３〕第３実施例の説明
操作表示部４２には、動作モードを通常動作モードまたは再出力モードに切り替えるためのモード切り替えキーが設けられているとともに、検索用文字列をユーザによって入力させるための検索用文字列入力キーが設けられている。
【００２７】
図５は、モード切り替えキーによって、動作モードが再出力モードに切り替えられている場合の動作を示している。
【００２８】
動作モードが再出力モードに切り替えられている場合には、検索用文字列の入力待機状態となる（ステップ２１）。
【００２９】
検索用文字列入力キーによって検索用文字列が入力されると、ＲＡＭ１０４に記憶されている画像データの各ジョブのうち、検索用文字列と一致する文字列を画像データ内に含んでいるジョブを検索し、検索用文字列と一致する文字列を画像データ内に含んでいるジョブを見つけた場合には、そのジョブ番号を一時的に記憶する（ステップ２２）。
【００３０】
検索用文字列と一致する文字列を画像データ内に含んでいるジョブの検索は、たとえば、次のようにして行われる。つまり、ＲＡＭ１０４に記憶されている各ジョブの画像データの１ページ目をジョブ毎に読み出して、ジョブ毎に読み出された１ページ目の画像データに含まれている文字をコード化する。そして、検索用文字列に対応するコード列と一致するコード列が含まれているか否かを判別することにより、検索用文字列と一致する文字列が画像データ内に含まれているか否かを判定する。
【００３１】
この後、各種設定キー（複写枚数、複写倍率、濃度等の設定キー）が操作されたか（ステップ２３）、スタートキーが操作されたか（ステップ２４）が繰り返し判別される。
【００３２】
各種設定キーが操作された場合には、設定内容を記憶する（ステップ２５）。スタートキーが操作された場合には、ＲＡＭ１０３から上記ステップ２２で記憶したジョブ番号に対応する画像データが読み出され、現在設定されている設定内容に基づいて、複写処理が実行せしめられる（ステップ２６）。
【００３３】
なお、動作モードが再出力モードである場合に、モード切り替えキーが操作された場合には、動作モードが通常動作モードに変更せしめられる。
〔４〕第４実施例の説明
この第４実施例は、再度実行させたいジョブに複数枚の原稿画像が含まれている場合に適している。
【００３４】
操作表示部４２には、動作モードを通常動作モードまたは再出力モードに切り替えるためのモード切り替えキーが設けられている。
【００３５】
図６は、モード切り替えキーによって、動作モードが再出力モードに切り替えられている場合の動作を示している。
【００３６】
動作モードが再出力モードに切り替えられている場合には、再出力させたい原稿画像の読み取り待機状態となる（ステップ３１）。
【００３７】
再出力させたい原稿画像とは、再度実行させたいジョブに複数枚の原稿画像が含まれている場合には、そのうちの１ページ目の原稿画像をいう。再出力させたい原稿画像がセットされた後、スタートボタンが押されることによって、再出力させたい原稿画像が読み取られると、ＲＡＭ１０４に記憶されている画像データの各ジョブのうち、読み取られた原稿情報を画像データ内に含んでいるジョブを検索し、読み取られた原稿情報を画像データ内に含んでいるジョブを見つけた場合には、そのジョブ番号を一時的に記憶する（ステップ３２）。
【００３８】
読み取られた原稿情報を画像データ内に含んでいるジョブの検索は、たとえば次のようにして行われる。つまり、ＲＡＭ１０４に記憶されている各ジョブの画像データの１ページ目をジョブ毎に読み出して、ジョブ毎に読み出された１ページ目の画像データと読み取られた原稿画像データとの類似度を算出する。類似度が所定値以上であれば、読み取られた原稿情報が画像データ内に含まれていると判定する。
【００３９】
この後、各種設定キー（複写枚数、複写倍率、濃度等の設定キー）が操作されたか（ステップ３３）、スタートキーが操作されたか（ステップ３４）が繰り返し判別される。
【００４０】
各種設定キーが操作された場合には、設定内容を記憶する（ステップ３５）。スタートキーが操作された場合には、ＲＡＭ１０４から上記ステップ３２において記憶されたジョブ番号に対応する画像データが読み出され、現在設定されている設定内容に基づいて、複写処理が実行せしめられる（ステップ３６）。
【００４１】
なお、動作モードが再出力モードである場合に、モード切り替えキーが操作された場合には、動作モードが通常動作モードに変更せしめられる。
〔５〕第５実施例の説明
操作表示部４２には、動作モードを通常動作モードまたは再出力モードに切り替えるためのモード切り替えキーが設けられているとともに、再出力させたいジョブに対するジョブ番号（ジョブ識別情報）をユーザに入力させるためのジョブ番号入力キーが設けられている。
【００４２】
また、あるジョブが実行される場合には、原稿画像が印刷される記録紙の所要箇所、たとえば、裏面に、そのジョブに対応するジョブ番号が印刷される。
【００４３】
図７は、モード切り替えキーによって、動作モードが再出力モードに切り替えられている場合の動作を示している。
【００４４】
動作モードが再出力モードに切り替えられている場合には、ジョブ番号の入力待機状態となる（ステップ４１）。
【００４５】
ユーザは、過去に複写処理を行って得たコピー紙の裏面に印刷されたジョブ番号に基づいて、再実行させたいジョブのジョブ番号を知ることができるので、ジョブ番号入力キーによって再実行させたいジョブ番号を入力する。
【００４６】
ジョブ番号入力キーによってジョブ番号が入力されると、各種設定キー（複写枚数、複写倍率、濃度等の設定キー）が操作されたか（ステップ４２）、スタートキーが操作されたか（ステップ４３）が繰り返し判別される。
【００４７】
各種設定キーが操作された場合には、設定内容を記憶する（ステップ４４）。スタートキーが操作された場合には、ＲＡＭ１０４から上記ステップ４１で入力されたジョブ番号に対応する画像データが読み出され、現在設定されている設定内容に基づいて、複写処理が実行せしめられる（ステップ４５）。
【００４８】
なお、動作モードが再出力モードである場合に、モード切り替えキーが操作された場合には、動作モードが通常動作モードに変更せしめられる。
【図面の簡単な説明】
【００４９】
【図１】デジタル複写機の概略構成を示す概略構成図である。
【図２】制御ユニットの構成を示すブロック図である。
【図３】第１実施例を示し、動作モードが再出力モードに切り替えられている場合の動作手順を示すフローチャートである。
【図４】第２実施例を示し、動作モードが再出力モードに切り替えられている場合の動作手順を示すフローチャートである。
【図５】第３実施例を示し、動作モードが再出力モードに切り替えられている場合の動作手順を示すフローチャートである。
【図６】第４実施例を示し、動作モードが再出力モードに切り替えられている場合の動作手順を示すフローチャートである。
【図７】第５実施例を示し、動作モードが再出力モードに切り替えられている場合の動作手順を示すフローチャートである。
【符号の説明】
【００５０】
４２  操作表示部
１０１  ＣＰＵ
１０２  信号処理回路
１０３  ＲＯＭ
１０４  ＲＡＭ
【図１】
0003693295.tif 000002
【図２】
0003693295.tif 000003
【図３】
0003693295.tif 000004
【図４】
0003693295.tif 000005
【図５】
0003693295.tif 000006
【図６】
0003693295.tif 000007
【図７】
0003693295.tif 000008